(57)【要約】【課題】簡単な構造で内燃機関を車両に搭載した状態で内燃機関を分解してシリンダヘッドおよびシリンダブロックを取り外すことができるメンテナンス性に優れた鞍乗り型車両の内燃機関を安価に供する。【解決手段】クランクケース(21)に下端の植込みネジ部(71a,72a)を螺合して植設された複数のスタッドボルト(71,72)が前記クランクケース(21)の上に順次重ねられるシリンダブロック(22)とシリンダヘッド(23)を貫通し、同スタッドボルト(71,72)のシリンダヘッド(23)を貫通して突出した上側ネジ部(71b,72b)にナット部材(71N,72N)を螺合して緊締する構造の内燃機関(20)が、車体フレーム(2)に支持されて搭載される鞍乗り型車両の内燃機関において、スタッドボルト(71,72)は上側ネジ部(71b,72b)よりも上側に工具を掛合して同スタッドボルト(71,72)を回動可能な工具掛け部(71c,72c)が形成される鞍乗り型車両の内燃機関。【選択図】図７
2015113736.tif 000002
【特許請求の範囲】
【請求項１】
クランクケース(21)に下端の植込みネジ部(71a,72a)を螺合して植設された複数のスタッドボルト(71,72)が前記クランクケース(21)の上に順次重ねられるシリンダブロック(22)とシリンダヘッド(23)を貫通し、同スタッドボルト(71,72)の前記シリンダヘッド(23)を貫通して突出した上側ネジ部(71b,72b)にナット部材(71N,72N)を螺合して緊締する構造の内燃機関(20)が、車体フレーム(2)に支持されて搭載される鞍乗り型車両の内燃機関において、
前記スタッドボルト(71,72)は前記上側ネジ部(71b,72b)よりも上側に工具を掛合して同スタッドボルト(71,72)を回動可能な工具掛け部(71c,72c)が形成されることを特徴とする鞍乗り型車両の内燃機関。
【請求項２】
前記車体フレーム(2)は、ヘッドパイプ(3)から車幅方向中央を後方に延出するメインフレーム(4)が前記内燃機関(20)の上方に配設され、
前記スタッドボルト(71,72)は、ボルト中心軸が前記メインフレーム(4)と交差する位置に配置される中央近傍スタッドボルト(71)とボルト中心軸が前記メインフレーム(4)と交差しないフレーム幅外スタッドボルト(72)とからなり、
前記中央近傍スタッドボルト(71)の植込みネジ部(71a)を含む全長は、前記シリンダブロック(22)と前記メインフレーム(4)との間の前記中央近傍スタッドボルト(71)のボルト中心軸に沿った距離(L)よりは短いことを特徴とする請求項１記載の鞍乗り型車両の内燃機関。
【請求項３】
前記スタッドボルト(71,72)の前記上側ネジ部(71b,72b)に螺合する前記ナット部材(71N,72N)が当接される前記シリンダヘッド(23)のナット取付座(63n,64n)は、前記シリンダヘッド(23)の上端面より下方に位置することを特徴とする請求項２記載の鞍乗り型車両の内燃機関。
【請求項４】
前記中央近傍スタッドボルト(71)の前記上側ネジ部(71b)に螺合する前記ナット部材(71N)が当接される前記シリンダヘッド(23)のナット取付座(63n)は、前記シリンダヘッド(23)の上端面(61a)から同中央近傍スタッドボルト(71)の植込みネジ部(71a)の植込み深さ(D)より下方に位置することを特徴とする請求項３記載の鞍乗り型車両の内燃機関。
【請求項５】
前記フレーム幅外スタッドボルト(72)の上端は、前記シリンダヘッド(23)の上端面(61a)と略一致する高さ位置とすることを特徴とする請求項３または請求項４記載の鞍乗り型車両の内燃機関。
【請求項６】
前記スタッドボルト(71,72)の植込みネジ部(71a,72a)が螺合される前記クランクケース(21)の植込み深さ(D)は、前記シリンダブロック(22)のシリンダスリーブ(22s)のクランク室内に突出した突出部(22ss)の突出長に略等しいことを特徴とする請求項１ないし請求項５のいずれか１項記載の鞍乗り型車両の内燃機関。
【請求項７】
前記内燃機関(20)は、単気筒であり、
前記シリンダブロック(22)は、シリンダスリーブ(22s)が前記シリンダスリーブ(22s)の周りの前記スタッドボルト(71,72)とともに前記メインフレーム(4)の位置する車幅方向中央から左右いずれか一方にオフセットして配置され、
前記シリンダスリーブ(22s)がオフセットした方向に、前記フレーム幅外スタッドボルト(72)が位置し、
前記シリンダスリーブ(22s)がオフセットした方向と反対側に、カムチェーン室(22c)が形成されることを特徴とする請求項２ないし請求項６のいずれか１項記載の鞍乗り型車両の内燃機関。
【請求項８】
前記スタッドボルト(71,72)の植込みネジ部(71a,72a)が螺合される前記クランクケース(21)の植込みネジ穴(21b,21b)は、底が塞がれたネジ穴であることを特徴とする請求項１ないし請求項７のいずれか１項記載の鞍乗り型車両の内燃機関。
【発明の詳細な説明】
【技術分野】
【０００１】
本発明は、鞍乗り型車両に搭載された内燃機関に関する。
【背景技術】
【０００２】
本願に係る鞍乗り型車両に搭載された内燃機関は、クランクケースに下端の植込みネジ部を螺合して植設された複数のスタッドボルトがクランクケースの上に順次重ねられるシリンダブロックとシリンダヘッドを貫通し、同スタッドボルトのシリンダヘッドを貫通して突出した上側ネジ部にナット部材を螺合して緊締する一般的な構造の内燃機関である。
なお、シリンダヘッドの上にはシリンダヘッドカバーが被せられているが、シリンダヘッドカバーは、シリンダヘッドにボルトにより取り付けられる。
【０００３】
この種の内燃機関が鞍乗り型車両に搭載された状態では、シリンダヘッドカバーの上方には車体フレームおよび燃料タンク等が配設されていて、シリンダヘッドカバーの上方空間は狭い。
したがって、内燃機関を、鞍乗り型車両に搭載された状態で分解し、シリンダヘッドやシリンダブロックを取り外そうとすると、シリンダヘッドカバーを取り外した後に、スタッドボルトの上側ネジ部に螺合したナット部材を緩めて外し、スタッドボルトが貫通したシリンダヘッドを上方に移動してスタッドボルトから抜き去る必要があるが、抜き去る前にシリンダヘッドが車体フレーム等に当接してシリンダヘッドを取り外すことができない。
【０００４】
そのため、従来は、車両から内燃機関を取り外した状態でなければ、分解してシリンダヘッドおよびシリンダブロックを取り外すことができない。
そこで、内燃機関を車両に搭載した状態で分解すべく、スタッドボルトを基端側のシリンダスタッドボルトと先端側のロングリーチナットに２分割した構造が、特許文献１に開示されている。
【先行技術文献】
【特許文献】
【０００５】
【特許文献１】特許第４０７３２８５号公報
【０００６】
特許文献１の図面（同特許文献１の図３参照）には、両端に雄ネジが刻設されたシリンダスタッドボルトがクランクケースに螺合して植設されて先端がシリンダブロックとシリンダヘッドの合わせ面位置にあり、この基端側スタッドボルトの先端の雄ネジ部に雌ネジ部を螺合して同軸上にロングリーチナットが延び、このロングリーチナットの先端の拡径して形成されたナット部がシリンダヘッドの上端のナット取付座を押圧してクランクケースにシリンダブロックとシリンダヘッドとを緊締して一体化している構造が図示されている。
【０００７】
したがって、内燃機関を車両に搭載した状態で、ロングリーチナットのナット部に工具を掛けて回動することで、シリンダスタッドボルトとの螺合を解除して、ロングリーチナットをシリンダスタッドボルトから離すことができるので、そのままロングリーチナットとともにシリンダヘッドを車幅方向外側に引き出し、取り外すことができる。
【発明の概要】
【発明が解決しようとする課題】
【０００８】
しかし、ロングリーチナットは高価であるとともに、シリンダスタッドボルトはクランクケースに植設されて、先端が雄ネジが刻設されたものなので、シリンダスタッドボルトは通常のスタッドボルトと同様にクランクケースから抜き取ることは簡単にはできない。
そのため、シリンダブロックを取り外すときは、シリンダブロックを上方に移動して基端側スタッドボルトから抜き去る必要があるが、抜き去る前にシリンダブロックが車体フレーム等に当接してしまう可能性が大きく、結局、内燃機関が車両に搭載された状態では、シリンダブロックを取り外すことは難しい。
【０００９】
本発明は、かかる点に鑑みなされたもので、その目的とする処は、簡単な構造で内燃機関を車両に搭載した状態で内燃機関を分解してシリンダヘッドおよびシリンダブロックを取り外すことができるメンテナンス性に優れた鞍乗り型車両の内燃機関を安価に供する点にある。
【課題を解決するための手段】
【００１０】
上記目的を達成するために、請求項１記載の発明は、
クランクケース(21)に下端の植込みネジ部(71a,72a)を螺合して植設された複数のスタッドボルト(71,72)が前記クランクケース(21)の上に順次重ねられるシリンダブロック(22)とシリンダヘッド(23)を貫通し、同スタッドボルト(71,72)の前記シリンダヘッド(23)を貫通して突出した上側ネジ部(71b,72b)にナット部材(71N,72N)を螺合して緊締する構造の内燃機関(20)が、車体フレーム(2)に支持されて搭載される鞍乗り型車両の内燃機関において、
前記スタッドボルト(71,72)は前記上側ネジ部(71b,72b)よりも上側に工具を掛合して同スタッドボルト(71,72)を回動可能な工具掛け部(71c,72c)が形成されることを特徴とする鞍乗り型車両の内燃機関である。
【００１１】
請求項２記載の発明は、
請求項１記載の鞍乗り型車両の内燃機関において、
前記車体フレーム(2)は、ヘッドパイプ(3)から車幅方向中央を後方に延出するメインフレーム(4)が前記内燃機関(20)の上方に配設され、
前記スタッドボルト(71,72)は、ボルト中心軸が前記メインフレーム(4)と交差する位置に配置される中央近傍スタッドボルト(71)とボルト中心軸が前記メインフレーム(4)と交差しないフレーム幅外スタッドボルト(72)とからなり、
前記中央近傍スタッドボルト(71)の植込みネジ部(71a)を含む全長は、前記シリンダブロック(22)と前記メインフレーム(4)との間の前記中央近傍スタッドボルト(71)のボルト中心軸に沿った距離(L)よりは短いことを特徴とする。
【００１２】
請求項３記載の発明は、
請求項２記載の鞍乗り型車両の内燃機関において、
前記スタッドボルト(71,72)の前記上側ネジ部(71b,72b)に螺合する前記ナット部材(71N,72N)が当接される前記シリンダヘッド(23)のナット取付座(63n,64n)は、前記シリンダヘッド(23)の上端面より下方に位置することを特徴とする。
【００１３】
請求項４記載の発明は、
請求項３記載の鞍乗り型車両の内燃機関において、
前記中央近傍スタッドボルト(71)の前記上側ネジ部(71b)に螺合する前記ナット部材(71N)が当接される前記シリンダヘッド(23)のナット取付座(63n)は、前記シリンダヘッド(23)の上端面(61a)から同中央近傍スタッドボルト(71)の植込みネジ部(71a)の植込み深さ(D)より下方に位置することを特徴とする。
【００１４】
請求項５記載の発明は、
請求項３または請求項４記載の鞍乗り型車両の内燃機関において、
前記フレーム幅外スタッドボルト(72)の上端は、前記シリンダヘッド(23)の上端面(61a)と略一致する高さ位置とすることを特徴とする。
【００１５】
請求項６記載の発明は、
請求項１ないし請求項５のいずれか１項記載の鞍乗り型車両の内燃機関において、
前記スタッドボルト(71,72)の植込みネジ部(71a,72a)が螺合される前記クランクケース(21)の植込み深さ(D)は、前記シリンダブロック(22)のシリンダスリーブ(22s)のクランク室内に突出した突出部(22ss)の突出長に略等しいことを特徴とする。
【００１６】
請求項７記載の発明は、
請求項２ないし請求項６のいずれか１項記載の鞍乗り型車両の内燃機関において、
前記内燃機関(20)は、単気筒であり、
前記シリンダブロック(22)は、シリンダスリーブ(22s)が前記シリンダスリーブ(22s)の周りの前記スタッドボルト(71,72)とともに前記メインフレーム(4)の位置する車幅方向中央から左右いずれか一方にオフセットして配置され、
前記シリンダスリーブ(22s)がオフセットした方向に、前記フレーム幅外スタッドボルト(72)が位置し、
前記シリンダスリーブ(22s)がオフセットした方向と反対側に、カムチェーン室(22c)が形成されることを特徴とする。
【００１７】
請求項８記載の発明は、
請求項１ないし請求項７のいずれか１項記載の鞍乗り型車両の内燃機関において、
前記スタッドボルト(71,72)の植込みネジ部(71a,72a)が螺合される前記クランクケース(21)の植込みネジ穴(21b,21b)は、底が塞がれたネジ穴であることを特徴とする。
【発明の効果】
【００１８】
請求項１記載の鞍乗り型車両の内燃機関によれば、クランクケース(21)に下端の植込みネジ部(71a,72a)を螺合して植設された複数のスタッドボルト(71,72)が前記クランクケース(21)の上に順次重ねられるシリンダブロック(22)とシリンダヘッド(23)を貫通し、同スタッドボルト(71,72)のシリンダヘッド(23)を貫通して突出した上側ネジ部(71b,72b)にナット部材(71N,72N)を螺合して緊締する構造の内燃機関(20)が、車体フレーム(2)に支持されて搭載される鞍乗り型車両の内燃機関において、スタッドボルト(71,72)は上側ネジ部(71b,72b)よりも上側に工具を掛合して同スタッドボルト(71,72)を回動可能な工具掛け部(71c,72c)が形成されるだけの簡単な構造であるが、内燃機関(20)を車両に搭載した状態で、シリンダヘッド(23)の上方に空間があれば、シリンダヘッドカバー(24)を外してから、スタッドボルト(71,72)の上側ネジ部(71b,72b)に螺合したナット部材(71N,72N)を緩め取外した後に、スタッドボルト(71,72)の上側ネジ部(71b,72b)よりも上側の工具掛け部(71c,72c)に工具を掛合してスタッドボルト(71,72)を回動して植込みネジ部(71a,72a)をクランクケース(21)から抜き取り、さらにシリンダブロック(22)およびシリンダヘッド(23)から抜き取って外すことで、シリンダヘッド(23)を車幅方向外側に移動して取り外すことができ、さらにシリンダブロック(22)を上方に移動してシリンダボアからピストン(31)を抜いてから車幅方向外側に移動して取り外すことができる。
また、スタッドボルト(71,72)を抜くときに、シリンダブロック(22)から抜けてシリンダヘッド(23)にあるところで、スタッドボルト(71,72)とともにシリンダヘッド(23)を車幅方向外側に移動して取り外すことが可能なので、シリンダヘッド(23)の上方空間が狭いような場合にもシリンダヘッド(23)を取り外すことができ、次いでシリンダブロック(22)は上記のように取り外すことができる。
【００１９】
請求項２記載の鞍乗り型車両の内燃機関によれば、ヘッドパイプ(3)から車幅方向中央を後方に延出するメインフレーム(4)に対して下方の内燃機関(20)の車幅方向の中央近傍に位置する中央近傍スタッドボルト(71)が、そのボルト中心軸をメインフレーム(4)と交差させる位置にあり、中央近傍スタッドボルト(71)の全長は、シリンダブロック(22)とメインフレーム(4)との間のボルト中心軸に沿った距離(L)より短いので、内燃機関(20)を車両に搭載した状態で、スタッドボルト(71,72)の上側の工具掛け部(71c,72c)に工具を掛合してスタッドボルト(71,72)を回動して植込みネジ部(71a,72a)をクランクケース(21)から抜き取り、さらに中央近傍スタッドボルト(71)を、上方のメインフレーム(4)に当接する前に、シリンダブロック(22)から抜き取ることができ、フレーム幅外スタッドボルト(72)はメインフレーム(4)から車幅方向に外れているので、さらに余裕をもってシリンダブロック(22)から抜き取ることができ、よって、スタッドボルト(71,72)とともにシリンダヘッド(23)を車幅方向外側に移動して取り外すことができる。
次いで、シリンダブロック(22)を上方に移動してシリンダスリーブ(22s)からピストン(31)を抜いてから車幅方向外側に移動して取り外すことができる。
【００２０】
中央近傍スタッドボルト(71)はシリンダブロック(22)とメインフレーム(4)との間のボルト中心軸に沿った距離(L)よりが短いので、内燃機関(20)の上方空間を狭く抑えることができ、車体の小型化を図ることができる。
中央近傍スタッドボルト(71)はボルト中心軸をメインフレーム(4)と交差させる位置に配置されるので、すべてのスタッドボルトをメインフレームから車幅外方に外すことによる内燃機関本体(20H)の大型化を避けることができるとともに、中央近傍スタッドボルト(71)とフレーム幅外スタッドボルト(72)の間を狭めて締付け力を向上させることができるとともに、シリンダを左右でバランス良く締め付けることができる。
【００２１】
請求項３記載の鞍乗り型車両の内燃機関によれば、スタッドボルト(71,72)の上側ネジ部(71b,72b)に螺合するナット部材(71N,72N)が当接されるシリンダヘッド(23)のナット取付座(63n,64n)は、シリンダヘッド(23)の上端面より下方に位置するので、スタッドボルト(71,72)の全長を短く設定でき、そのためメンテナンス時にスタッドボルト(71,72)をシリンダブロック(22)より抜き取る移動量を容易に確保可能で、内燃機関(20)の上方空間を狭く抑えることができ、車体の小型化を図ることができる。
【００２２】
請求項４記載の鞍乗り型車両の内燃機関によれば、中央近傍スタッドボルト(71)の上側ネジ部(71b)に螺合するナット部材(71N)が当接されるシリンダヘッド(23)のナット取付座(63n)は、前記シリンダヘッド(23)の上端面(61a)から同中央近傍スタッドボルト(71)の植込みネジ部(71a)の植込み深さ(D)より下方に位置するので、中央近傍スタッドボルト(71)の植込みネジ部(71a)をクランクケース(21)から抜いたところで、まだ中央近傍スタッドボルト(71)はシリンダヘッド(23)から殆ど飛び出さないので、内燃機関(20)を車両に搭載した状態で、内燃機関(20)の上方空間が狭くても、中央近傍スタッドボルト(71)をシリンダブロック(22)より抜き取る移動量を容易に確保して、シリンダヘッド(23)およびシリンダブロック(22)の取外しを可能とする。
【００２３】
請求項５記載の鞍乗り型車両の内燃機関によれば、前記スタッドボルト(71,72)のうちボルト中心軸が前記メインフレーム(4)と交差しないフレーム幅外スタッドボルト(72)の上端は、シリンダヘッド(23)の上端面と略一致する高さ位置とするので、内燃機関本体(20H)の大型化を避けながらフレーム幅外スタッドボルト(72)を適度に長く設定することができ、内燃機関(20)の燃焼に伴うシリンダブロック(22)およびシリンダヘッド(23)の膨張を柔軟に吸収して剛性を容易に確保することができる。
【００２４】
請求項６記載の鞍乗り型車両の内燃機関によれば、スタッドボルト(71,72)の植込みネジ部(71a,72a)が螺合されるクランクケース(21)の植込み深さ(D)は、シリンダブロック(22)のシリンダスリーブ(22s)のクランク室内に突出した突出部(22ss)の突出長に略等しいので、シリンダスリーブ(22s)内を往復動するピストン(31)の移動幅全てにおいてスタッドボルト(71,72)による締付け軸力を安定化することができる。
【００２５】
請求項７記載の鞍乗り型車両の内燃機関によれば、内燃機関(20)は単気筒であり、シリンダブロック(22)は、シリンダスリーブ(22s)がその周りのスタッドボルト(71,72)とともにメインフレーム(4)の位置する車幅方向中央から左右いずれか一方にオフセットして配置され、シリンダスリーブ(22s)がオフセットした方向に、前記フレーム幅外スタッドボルト(72)が位置し、シリンダスリーブがオフセットした方向と反対側に、カムチェーン室(22c)が形成されるので、車体フレーム(2)に対して内燃機関本体(20H)を車幅方向の中央に搭載して、左右の重量バランスを良好にするとともに、外観性を向上させることができる。
【００２６】
請求項８記載の鞍乗り型車両の内燃機関によれば、スタッドボルト(71,72)の植込みネジ部(71a,72a)が螺合されるクランクケース(21)の植込み穴(21b,21b)は、底が塞がれたネジ穴であるので、スタッドボルト(71,72)の植込みネジ部(71a,72a)をクランクケース(21)の植込み穴(21b,21b)から螺合を解除して取り外すときの摩耗粉がクランクケース(21)内に侵入するのを防止することができ、スタッドボルト(71,72)の取り外しに対するメンテナンス性を高めることができる。
【図面の簡単な説明】
【００２７】
【図１】本発明の一実施の形態に係る鞍乗型自動二輪車の全体側面図である。
【図２】車体フレームに対する内燃機関の搭載状態のみを示す右側面図である。
【図３】内燃機関本体の断面展開図（図２のIII−III線断面図）である。
【図４】内燃機関本体のシリンダヘッドカバーを取り外した上面図である。
【図５】内燃機関本体の一部を断面（図４のＶ−Ｖ線断面）として車体フレームに対する内燃機関本体の位置関係を示す側面図である。
【図６】内燃機関本体の一部を断面（図４のＶＩ−ＶＩ線断面）として車体フレームに対する内燃機関本体の位置関係を示す側面図である。
【図７】メインフレームに対するクランクケース，シリンダブロック，シリンダヘッドの位置関係を示す後断面図（図４のＶＩＩ−ＶＩＩ線断面）である。
【図８】シリンダヘッドを分解した状態における内燃機関本体の一部を断面（図４のＶ−Ｖ線断面と同じ断面）として車体フレームに対するクランクケース，シリンダブロック，シリンダヘッドの位置関係を示す側面図である。
【図９】シリンダヘッドを分解した状態における内燃機関本体の一部を断面（図４のＶＩ−ＶＩ線断面と同じ断面）として車体フレームに対するクランクケース，シリンダブロック，シリンダヘッドの位置関係を示す側面図である。
【図１０】シリンダヘッドを分解した状態におけるメインフレームに対するクランクケースの一部，シリンダブロック，シリンダヘッドの位置関係を示す後断面図である。
【発明を実施するための形態】
【００２８】
以下、本発明に係る一実施の形態について図１ないし図１０に基づいて説明する。
図１は、本発明を適用した一実施の形態に係る鞍乗型自動二輪車１の全体側面図であり、図２は、車体フレーム２に対する内燃機関20の搭載状態のみを示す右側面図である。
なお、本明細書の説明および特許請求の範囲において、前後左右の向きは、本実施の形態に係る鞍乗型自動二輪車１の直進方向を前方とする車両の通常の基準に従うものとする。
【００２９】
図１および図２を参照して、本鞍乗型自動二輪車１の車体フレーム２は、ヘッドパイプ３から車幅方向中央を後方にメインフレーム４が、若干傾斜して延出した後に、下方に屈曲してメイン急傾斜部４ａを形成しているとともに、ヘッドパイプ３からはさらに車幅方向中央を斜め後下方に向けてダウンフレーム５が延出している。
【００３０】
内燃機関20におけるクランクケース21の前部が、ダウンフレーム５の下部の支持ブラケット５ｂに上下２か所でボルト８により取り付けられ、クランクケース21の後部が、メインフレーム４のメイン急傾斜部４ａの下部の支持ブラケット４ｂに上下２か所でボルト９により取り付けられて、内燃機関20が車体フレーム２に支持される。
【００３１】
メインフレーム４の屈曲部からは左右一対のシートレール６が途中屈曲部を形成しながら後方に延出しており、同シートレール６の屈曲部とメイン急傾斜部４ａの中央部とを連結したバックステー７がシートレール６を支持している。
【００３２】
以上のような車体フレーム２において、ヘッドパイプ３にはフロントフォーク10が枢支され、その下端に前輪11が軸支され、フロントフォーク10の枢軸の上端に操舵ハンドル12が設けられ、メインフレーム４の下部に設けられたピボット軸13に前端を軸支されたリヤフォーク14が後方へ延出し、その後端に後輪15が軸支され、リヤフォーク14の中央部とバックステー７との間にリヤクッション16が介装されている。
メインフレーム４には燃料タンク17が左右両側に跨るように架設され、燃料タンク17の後方にシート18がシートレール６に支持されて設けられている。
【００３３】
車体フレーム２に搭載される内燃機関20は、ＳＯＨＣ型の単気筒４ストローク内燃機関であり、車体に対してクランクシャフト30を車体幅方向に指向させ、気筒を若干前傾させて起立した姿勢で懸架される。
車体フレーム２のダウンフレーム５の上部を左右両側からフロントカバー19ｆが覆い、内燃機関20とシート18との間の左右両側をサイドカバー19ｓが覆い、シートレール６の後半をリヤカバー19ｒが覆っている。
【００３４】
内燃機関20の内燃機関本体20Ｈは、左右方向に指向したクランクシャフト30を回転自在に軸支するクランクケース21の斜め上方にシリンダブロック22およびシリンダヘッド23が順次重ねられてスタッドボルト71，72により一体に締結され、シリンダヘッド23の上にはシリンダヘッドカバー24が被せられて構成され、シリンダブロック22，シリンダヘッド23，シリンダヘッドカバー24はクランクケース21から僅かに前方に前傾して突設している。
【００３５】
図１に示すように、シリンダヘッド23から吸気管41が後方に延出し、同吸気管41は、キャブレタ42を介してエアクリーナ43に連結している。
シリンダヘッド23から前方に延出した排気管45は、下方に屈曲し、さらに後方に屈曲してクランクケース21の下面に沿って後方にかつ右側に寄って後輪15の右側に配置されたマフラー46に連結している。
【００３６】
図３は、内燃機関本体20Ｈの断面展開図（図２のIII−III線断面図）であり、同図３を参照して、クランクケース21から斜め上方に突設したシリンダブロック22は、ピストン31が摺動可能に嵌装されるシリンダスリーブ22ｓが、クランクケース21のクランク室内に突出している。
シリンダスリーブ22ｓのシリンダボア内を往復動するピストン31とクランクシャフト30の左右クランクウエブ間に架設されるクランクピン30ｐとをコンロッド32が連結し、ピストン31の動きに応じてクランクシャフト30を回転駆動する。
【００３７】
シリンダヘッド23の下部の天井壁62によりピストン31の上方には燃焼室28が構成される。
この燃焼室28の吸排気ポート開口を開閉する吸排気弁を駆動する動弁機構50がシリンダヘッド23の天井壁62の上に設けられている。
【００３８】
図４は、内燃機関本体20Ｈのシリンダヘッドカバー24を取り外し、シリンダヘッド23の合わせ面を上方から視た内燃機関本体20Ｈの上面図であり、メインフレーム４を２点鎖線と散点模様で重ねて図示している。
同図４および図３を参照して、シリンダヘッド23は、上下を合わせ面とする略矩形のヘッド外周壁61の内側に燃焼室28の天井壁62が形成され、同天井壁62に右上方から点火プラグ29が嵌入されて、先端の電極が燃焼室28に臨んでいる。
【００３９】
燃焼室28の天井壁62上に左右対向して左側軸受壁63と右側軸受壁64が上方に突出形成されており、左側軸受壁63と右側軸受壁64にベアリング51ｂ，51ｂを介して動弁機構50のカムシャフト51が回動可能に架設される。
ヘッド外周壁61の左側壁と左側軸受壁63との間には、上下に貫通するチェーン室23ｃが形成され、カムシャフト51の左ベアリング63ｂを貫通した左端に固着された被動スプロケット53がチェーン室23ｃに臨んでいる（図３参照）。
【００４０】
図３を参照して、クランクケース21は、左右半割りに構成され、左クランクケース21Ｌと右クランクケース21Ｒの間にケース内空間が形成されている。
ケース内空間は、互いに対面する左右鉛直軸受壁21Lv，21Rv間にケース外周壁21Ls，21Rsに囲まれて形成される空間であり、クランクシャフト30のカウンタウエイトを構成するクランクウエブが収容されるクランク室と常時噛合い式歯車変速機Ｍが収容される変速機室とが互いに前後に位置して連通して１つの空間を構成している。
【００４１】
この左クランクケース21Ｌと右クランクケース21Ｒのさらに左右外側方を左クランクケースカバー25と右クランクケースカバー26が覆い、左クランクケースカバー25内にＡＣジェネレータ33が収容され、右クランクケースカバー26内に変速クラッチ36が収容される。
【００４２】
クランクシャフト30は、クランクウエブを両側から挟む位置で、左クランクケース21Ｌと右クランクケース21Ｒの互いに対面する左右鉛直軸受壁21Lv，21Rvに主ベアリング30ｂ，30ｂを介して軸支される。
この左側の主ベアリング30ｂより左方に突出したクランクシャフト30の左側部には、ＡＣジェネレータ33のアウタロータ33ｒが設けられるとともに、アウタロータ33ｒと主ベアリング30ｂとの間に駆動スプロケット52が嵌着されている。
クランクシャフト30の右側部には、遠心式オイルフィルタ34が設けられている。
【００４３】
シリンダブロック22のシリンダスリーブ22ｓの左側にチェーン室22ｃが、上下に貫通して、シリンダヘッド23のチェーン室23ｃと共通のチェーン室22ｃ，23ｃを形成し、このチェーン室22ｃ，23ｃを通ってカムチェーン54が、クランクシャフト30の駆動スプロケット52とカムシャフト51の被動スプロケット53との間に架渡される。
【００４４】
図３を参照して、左右クランクケース21Ｌ，21Ｒの左右鉛直軸受壁21Lv，21Rvの後方に延長した左右側壁間に常時噛合い式歯車変速機Ｍのメインシャフト35とカウンタシャフト36がそれぞれベアリングを介して軸支され、メインシャフト35に支持された駆動歯車列35ｇとカウンタシャフト36に支持された被動歯車列36ｇとが各対応する歯車を常時噛み合わせて変速機室に収容されている。
【００４５】
メインシャフト35の右鉛直軸受壁２Rvを右方に貫通しクラッチ室に突出した右側部に多板摩擦クラッチである変速クラッチ37が設けられ、変速クラッチ37と遠心式オイルフィルタ34が右クランクケースカバー26により覆われる。
カウンタシャフト36は、左鉛直軸受壁２Lvを左方に貫通して外部に突出した左端部に出力スプロケット38が嵌着されている。
出力スプロケット38には後輪駆動用チェーン39が巻き掛けられている。
【００４６】
図４を参照して、シリンダヘッド23の略矩形のヘッド外周壁61の上端面がシリンダヘッドカバー24との合わせ面61ａであり、このヘッド外周壁61の内側においてチェーン室23ｃと燃焼室28の天井壁62とが左右に並んで形成されている。
【００４７】
このシリンダヘッド23の上方を前後に亘って延びるメインフレーム４は、図４に２点鎖線と散点模様で示しており、同図４に示すように、メインフレーム４は、シリンダヘッド23の左右幅の中央を通っている。
したがって、車幅中心でもあるメインフレーム４の中心軸Ｍａに対して燃焼室28の天井壁62は右方に偏った位置にあり、すなわち燃焼室28の中心を通るシリンダスリーブ22ｓの中心軸であるシリンダ軸線Ｃａは、メインフレーム４の中心軸Ｍａに対して右方にオフセットしている。
【００４８】
そのため、シリンダ軸線Ｃａから略等距離のシリンダスリーブ22ｓの周囲４か所に設けられるスタッドボルト71，71，72，72もメインフレーム４の中心軸Ｍａに対して右方にオフセットしている。
図７は、メインフレーム４に対するクランクケース21，シリンダブロック22，シリンダヘッド23の位置関係を示す後断面図（図４のＶＩＩ−ＶＩＩ線断面）である。
【００４９】
同図７および図４に示すように、左側２本のスタッドボルト71，71は、メインフレーム４の中心軸Ｍａに近づく中央近傍スタッドボルト71，71であり、中央近傍スタッドボルト71，71のボルト中心軸はメインフレーム４と交差する。
また、右側２本のスタッドボルト72，72は、メインフレーム４から右方に離れ、そのボルト中心軸がメインフレーム４と交差しないフレーム幅外スタッドボルト72，72である。
【００５０】
なお、図７に2点鎖線で図示されたメインフレーム４の断面は、前側の中央近傍スタッドボルト71，フレーム幅外スタッドボルト72に沿って切断したときのもので、シリンダヘッド23からより遠い位置にあり、中央近傍スタッドボルト71の抜き取り量に大きな余裕がある。
【００５１】
図３および図４を参照して、シリンダヘッド23における天井壁62から上方に突出している左側軸受壁63および右側軸受壁64のうち左側軸受壁63には、カムシャフト51を回転自在に軸支するベアリング51ｂが嵌合される円孔63ｈが形成されており、右側軸受壁64には、同カムシャフト51を回転自在に軸支するベアリング51ｂが嵌合される左方を開口し右方を閉塞した円穴64ｈが形成されている（図６参照）。
【００５２】
メインフレーム４の中心軸Ｍａに対してシリンダ軸線Ｃａが右方にオフセットしているので、左側軸受壁63と右側軸受壁64も右方にオフセットしており、そのため、左側軸受壁63はメインフレーム４の中心軸Ｍａに近づき、右側軸受壁64はメインフレーム４の中心軸Ｍａから離れた位置にある。
【００５３】
メインフレーム４の中心軸Ｍａに近づいた左側軸受壁63の円孔63ｈの前後両側の各左側部位に中央近傍スタッドボルト71，71のボルト孔23ｂ，23ｂが形成され、メインフレーム４の中心軸Ｍａから離れた右側軸受壁64の円穴64ｈの前後両側にフレーム幅外スタッドボルト72，72のボルト孔が形成されている。
【００５４】
図５ないし図７は、車体フレーム２に支持された内燃機関本体20Ｈの車体フレーム２に対する位置関係を示している。
内燃機関本体20Ｈのクランクケース21の一部，シリンダブロック22，シリンダヘッド23，シリンダヘッドカバー24を、前後の中央近傍スタッドボルト71，71の両ボルト中心軸を含む平面で切断した断面で示した側面図を図５に示し、前後のフレーム幅外スタッドボルト72，72の両ボルト中心軸を含む平面で切断した断面で示した側面図を図６に示し、図７は、シリンダヘッドカバー24を除きクランクケース21の一部，シリンダブロック22，シリンダヘッド23およびメインフレーム４を、後側の中央近傍スタッドボルト71と後側のフレーム幅外スタッドボルト72の両ボルト中心軸を含む平面で切断した断面で示した後面図である。
【００５５】
図５および図７を参照して、シリンダヘッド23における左側軸受壁63の前後の中央近傍スタッドボルト71，71の貫通するボルト孔23ｂ，23ｂの上端開口面であるナット取付座63ｎ，63ｎは、シリンダヘッド23の上端面である合わせ面61ａより下方に大きく凹んだシリンダヘッド23の中央高さ位置にある。
ナット取付座63ｎ，63ｎは、シリンダヘッド23の上端面である合わせ面61ａから植込みネジ部71ａの植込み深さＤより下方に位置する。
【００５６】
また、図６および図７を参照して、シリンダヘッド23における右側軸受壁64の前後のフレーム幅外スタッドボルト72，72の貫通するボルト孔23ｂ，23ｂの上端開口面であるナット取付座64ｎ，64ｎは、シリンダヘッド23の上端面である合わせ面61ａより僅かに凹んだシリンダヘッド23の上部高さ位置にあり、フレーム幅外スタッドボルト72，72の上端は、シリンダヘッド23の上端面である合わせ面61ａと略一致する高さ位置にあって、合わせ面61ａより上方に突出していない。
【００５７】
また、シリンダヘッド23の矩形をなすヘッド外周壁61の左側の側壁の下部がチェーン室23ｃ側に膨出しており、この膨出部65の前後にボルト73，73が貫通するボルト孔23ｂ，23ｂが形成されている。
該ボルト孔23ｂ，23ｂの上端開口面であるボルト取付座65ｎ，65ｎは、シリンダヘッド23の上端面である合わせ面61ａより下方に大きく凹んだシリンダヘッド23の下部高さ位置にある（図７参照）。
【００５８】
シリンダヘッド23の６本のボルト孔23ｂに対応して、シリンダブロック22には同軸にボルト孔22ｂが穿孔され、クランクケース21には同軸に植込みネジ穴21ｂが形成されている。
クランクケース21のスタッドボルト71，72が植え込まれる植込みネジ穴21ｂは、底が塞がれたネジ穴である（図５，図６，図７参照）。
【００５９】
図７および図１０を主に参照して、本実施の形態に係るスタッドボルト71，72は、下端にクランクケース21の植込みネジ穴21ｂ，21ｂに螺合する植込みネジ部71ａ，72ａが形成され、上端近傍に上側ネジ部71ｂ，72ｂが形成されるとともに、上側ネジ部71ｂ，72ｂより上の上端に六角ボルト頭部71ｃ，72ｃが形成されている。
六角ボルト頭部71ｃ，72ｃは、レンチ等の工具を掛合する工具掛け部である。
なお、ボルト73は、下端にネジ部73ａが形成され、上端に六角ボルト頭部73ｂが形成される通常のボルトである。
【００６０】
図５ないし図７は、中央近傍スタッドボルト71，71、フレーム幅外スタッドボルト72，72、ボルト73，73によりクランクケース21にシリンダブロック22とシリンダヘッド23を一体に緊締した状態を示している。
【００６１】
中央近傍スタッドボルト71は、シリンダヘッド23とシリンダブロック22のボルト孔23ｂ，22ｂを貫通してクランクケース21の植込みネジ穴21ｂに螺合して植え込まれており、シリンダヘッド23のナット取付座63ｎより上方に突出した上側ネジ部71ｂにワッシャ71Ｗを介してナット71Ｎが螺合して緊締している。
同様に、フレーム幅外スタッドボルト72は、シリンダヘッド23とシリンダブロック22のボルト孔23ｂ，22ｂを貫通してクランクケース21の植込みネジ穴21ｂに螺合して植え込まれており、シリンダヘッド23のナット取付座64ｎより上方に突出した上側ネジ部72ｂにワッシャ72Ｗを介してナット72Ｎが螺合して緊締している。
【００６２】
中央近傍スタッドボルト71のナット取付座63ｎは、フレーム幅外スタッドボルト72のナット取付座64ｎより低い位置にあるので、中央近傍スタッドボルト71はフレーム幅外スタッドボルト72よりも短い。
ボルト中心軸がメインフレーム４と交差する中央近傍スタッドボルト71は、植込みネジ部71ａを含む全長がシリンダブロック22とメインフレーム４との間の中央近傍スタッドボルト71のボルト中心軸に沿った距離Ｌよりは短い（図１０参照）。
【００６３】
なお、ボルト73は、シリンダヘッド23とシリンダブロック22のボルト孔23ｂ，22ｂを貫通してクランクケース21のネジ穴21ｂに螺合して六角ボルト頭部73ｂがシリンダヘッド23のボルト取付座65ｎを押圧して緊締している。
ボルト取付座65ｎはナット取付座63ｎよりさらに低い位置にあるので、ボルト73は中央近傍スタッドボルト71よりさらに短い。
【００６４】
スタッドボルト71，72のクランクケース21の植込みネジ穴21ｂに螺合して植え込まれる植込み深さＤは、図５および図６に示すように、シリンダスリーブ22ｓがクランクケース21のクランク室内に突出する突出部22ssの突出長と略等しい。
なお、シリンダヘッドカバー24は、シリンダヘッド23にボルト75により取り付けられる。
【００６５】
以上のように、内燃機関本体20Ｈが組付けられて車体フレーム２に支持された本鞍乗り型自動二輪車において、内燃機関本体20Ｈを分解してシリンダヘッド23およびシリンダブロック22を取り外すときは、車体から外装カバーを外し、メインフレーム４に跨って搭載された燃料タンク17を取り除き、内燃機関本体20Ｈのシリンダブロック22やシリンダヘッド23に連結された吸気管41や排気管45等を取り外しておくと、概ね図６に示すような状態になる。
【００６６】
このような状態で内燃機関本体20Ｈが車体フレーム２に搭載されたまま、図７に示すようにシリンダヘッドカバー24を外し、カムチェーン54を被動スプロケット53から外した後に、中央近傍スタッドボルト71とフレーム幅外スタッドボルト72の上側ネジ部71ｂ，72ｂに螺合し締め付けていたナット71Ｎ，72Ｎを緩め、ワッシャ71Ｗ，72Ｗとともに取り除く。
そして、クランクケース21の植込みネジ穴21ｂに螺合して膨出部65を締め付けていたボルト73もレンチにより回動して抜き取っておく。
【００６７】
次に、図８ないし図１０を参照して、中央近傍スタッドボルト71とフレーム幅外スタッドボルト72の上端の六角ボルト頭部71ｃ，72ｃにレンチを掛合して中央近傍スタッドボルト71とフレーム幅外スタッドボルト72を回動してクランクケース21の植込みネジ穴21ｂ，21ｂに螺合して植え込まれていた植込みネジ部71ａ，72ａを緩めて植込みネジ穴21ｂ，21ｂから抜く。
【００６８】
このとき、中央近傍スタッドボルト71とフレーム幅外スタッドボルト72を抜いて移動する量は、中央近傍スタッドボルト71とフレーム幅外スタッドボルト72の下端が少なくともシリンダブロック22から抜けるまでの量である。
【００６９】
中央近傍スタッドボルト71は、シリンダブロック22とメインフレーム４との間の中央近傍スタッドボルト71のボルト中心軸に沿った距離Ｌよりは短いので、中央近傍スタッドボルト71がメインフレーム４に当接する前にシリンダブロック22から抜き取ることができる(図８，図１０参照)。
【００７０】
なお、長尺のフレーム幅外スタッドボルト72は、ボルト中心軸がメインフレーム４と交差しないので、メインフレーム４に当接することなくシリンダブロック22から抜き取ることができる(図９，図１０参照)。
このときに、フレーム幅外スタッドボルト72をシリンダヘッド23からも抜き取ることができるならば、ここでフレーム幅外スタッドボルト72を取り除いてもよい。
【００７１】
このように中央近傍スタッドボルト71とフレーム幅外スタッドボルト72をシリンダブロック22から抜き取った状態で、図１０に２点鎖線で示すように、シリンダヘッド23を分解して中央近傍スタッドボルト71とフレーム幅外スタッドボルト72とともに車幅方向側方へ移動し取り外すことができる。
シリンダヘッド23が取り外されれば、シリンダブロック22の上方空間が広がるので、シリンダブロック22を上方に移動してシリンダスリーブ22ｓ内からピストン31を抜くことができ、次いでシリンダブロック22を車幅方向外側に移動して取り外すことができる。
【００７２】
なお、図８ないし図１０では、中央近傍スタッドボルト71とフレーム幅外スタッドボルト72をシリンダブロック22から抜いて、さらに幾らか上方まで移動させているが、これは、シリンダブロック22とシリンダヘッド23との間にノックピン等が介装されていたときのことを考慮したものである。
また、シリンダヘッド23もシリンダブロック22から離して幾らか上方に移動させているのもノックピン等を考慮したものである。
【００７３】
このように内燃機関本体20Ｈが車体フレーム２に搭載されたままで、内燃機関本体20Ｈを分解してシリンダヘッド23およびシリンダブロック22を取り外すことができるので、メンテナンス性に優れている。
スタッドボルト71，72は上側ネジ部71ｂ，72ｂよりも上側の上端にレンチを掛合して螺合を解除する六角ボルト頭部71ｃ，72ｃが形成されるだけの簡単な構造であり、コストの低減を図ることができる。
【００７４】
中央近傍スタッドボルト71の全長は、シリンダブロック22とメインフレーム４との間のボルト中心軸に沿った距離Ｌよりが短いので、内燃機関20を車両に搭載した状態で、中央近傍スタッドボルト71を、上方のメインフレーム４に当接する前に、シリンダブロック22から抜き取ることができ、フレーム幅外スタッドボルト72はメインフレーム４から車幅方向に外れているので、さらに余裕をもってシリンダブロック22から抜き取ることができ、よって、スタッドボルト71，72とともにシリンダヘッド23を車幅方向外側に移動して取り外すことができる。
次いで、シリンダブロック22を上方に移動してシリンダスリーブ22ｓからピストンを抜いてから車幅方向外側に移動して取り外すことができる。
【００７５】
スタッドボルト71，72のうち中央近傍スタッドボルト71を、ボルト中心軸がメインフレーム４に交差する位置に配置することで、すべてのスタッドボルトをメインフレーム４から車幅外方に外すことによる内燃機関本体の大型化を避けて、車体の小型化を図ることができるとともに、中央近傍スタッドボルト71とフレーム幅外スタッドボルト72の間を狭めて締付け力を向上させることができるとともに、シリンダを左右でバランス良く締め付けることができる。
【００７６】
内燃機関本体20Ｈの上方のメインフレーム４までの上方空間は、中央近傍スタッドボルト71がシリンダブロック22から抜けるまでの間にメインフレーム４に当接しない程度の空間でよく、狭く抑えることができ、車体の小型化を図ることができる。
【００７７】
また、中央近傍スタッドボルト71の上側ネジ部71ｂに螺合するナット部材71Ｎが当接されるシリンダヘッド23のナット取付座63ｎは、シリンダヘッド23の上端面より下方に位置するので、中央近傍スタッドボルト71の全長を短く設定でき、そのためメンテナンス時にスタッドボルトをシリンダブロックより抜き取る移動量を容易に確保可能で、内燃機関の上方空間を狭く抑えることができ、車体の小型化を図ることができる。
【００７８】
中央近傍スタッドボルト71に係るシリンダヘッド23のナット取付座63ｎ，63ｎは、シリンダヘッド23の上端面である合わせ面61ａから植込みネジ部71ａの植込み深さＤより下方に位置するので、中央近傍スタッドボルト71の植込みネジ部71ａをクランクケース21から抜いたところで、まだ中央近傍スタッドボルト71はシリンダヘッド23から殆ど飛び出さないので、内燃機関20を車両に搭載した状態で、内燃機関20の上方空間が狭くても、中央近傍スタッドボルト71をシリンダブロック23より抜き取る移動量を容易に確保して、シリンダヘッド23およびシリンダブロック22の取外しを可能とする。
【００７９】
なお、フレーム幅外スタッドボルト72についても中央近傍スタッドボルト71に係るナット取付座63ｎ，63ｎと同様の位置にナット取付座を設け、中央近傍スタッドボルト71と同じ程度の長さに短くすれば、燃料タンク17を車体フレーム２に搭載した状態でもシリンダヘッド23およびシリンダブロック22の取外しを可能にすることができる。
【００８０】
ボルト中心軸がメインフレーム４と交差しないフレーム幅外スタッドボルト72の上端は、シリンダヘッド23の上端面61ａと略一致する高さ位置とするので、内燃機関本体20Ｈの大型化を避けながらフレーム幅外スタッドボルト72を適度に長く設定することができ、内燃機関20の燃焼に伴うシリンダブロック22およびシリンダヘッド23の膨張を柔軟に吸収して剛性を容易に確保することができる。
【００８１】
スタッドボルト71，72の植込みネジ部71ａ，72ａが螺合されるクランクケース21の植込み深さＤは、シリンダブロック22のシリンダスリーブ22ｓのクランク室内に突出した突出部22ssの突出長に略等しいので、シリンダスリーブ22ｓ内を往復動するピストン31の移動幅全てにおいてスタッドボルト71，72による締付け軸力を安定化することができる。
【００８２】
内燃機関20は単気筒であり、シリンダブロック22は、シリンダスリーブ22ｓがその周りのスタッドボルト71，72とともにメインフレーム４の位置する車幅方向中央から左右いずれか一方にオフセットして配置され、シリンダスリーブ22ｓがオフセットした方向に、前記フレーム幅外スタッドボルト72が位置し、シリンダスリーブ22ｓがオフセットした方向と反対側に、カムチェーン室22ｃが形成されるので、車体フレーム４に対して内燃機関本体20Ｈを車幅方向の中央に搭載して、左右の重量バランスを良好にするとともに、外観性を向上させることができる。
【００８３】
スタッドボルト71，72の植込みネジ部71ａ，72ａが螺合されるクランクケース21の植込みネジ穴21ｂ，21ｂは、底が塞がれたネジ穴であるので、スタッドボルト71，72の植込みネジ部71ａ，72ａをクランクケース21の植込みネジ穴21ｂ，21ｂから螺合を解除して取り外すときの摩耗粉がクランクケース21内に侵入するのを防止することができ、スタッドボルト71，72の取り外しに対するメンテナンス性を高めることができる。
【符号の説明】
【００８４】
１…鞍乗り型自動二輪車、２…車体フレーム、３…ヘッドパイプ、４…メインフレーム、５…ダウンフレーム、17…燃料タンク、
20…内燃機関、20Ｈ…機関本体、21…クランクケース、22…シリンダブロック、23…シリンダヘッド、23ｂ…ボルト孔、23ｃ…チェーン室、24…シリンダヘッドカバー、28…燃焼室、29…点火プラグ、30…クランクシャフト、  50…動弁機構、51…カムシャフト、54…カムチェーン、
61…ヘッド外周壁、62…天井壁、63…左側軸受壁、63ｎ…ナット取付座、64…右側軸受壁、64ｎ…ナット取付座、65…膨出部、65ｎ…ボルト取付座、
71…中央近傍スタッドボルト、71Ｎ…ナット、71Ｗ…ワッシャ、72…フレーム幅外スタッドボルト、72Ｎ…ナット、72Ｗ…ワッシャ、73…ボルト、75…ボルト。
【図１】
2015113736.tif 000003
【図２】
2015113736.tif 000004
【図３】
2015113736.tif 000005
【図４】
2015113736.tif 000006
【図５】
2015113736.tif 000007
【図６】
2015113736.tif 000008
【図７】
2015113736.tif 000009
【図８】
2015113736.tif 000010
【図９】
2015113736.tif 000011
【図１０】
2015113736.tif 000012
【手続補正書】
【提出日】平成26年9月16日(2014.9.16)
【手続補正１】
【補正対象書類名】特許請求の範囲
【補正対象項目名】請求項４
【補正方法】変更
【補正の内容】
【請求項４】
前記中央近傍スタッドボルト(71)の前記上側ネジ部(71b)に螺合する前記ナット部材(71N)が当接される前記シリンダヘッド(23)のナット取付座(63n)は、前記シリンダヘッド(23)の上端面(61a)からの深さ(E)が同中央近傍スタッドボルト(71)の植込みネジ部(71a)の植込み深さ(D)より大きくなる位置に形成されることを特徴とする請求項３記載の鞍乗り型車両の内燃機関。
【手続補正２】
【補正対象書類名】明細書
【補正対象項目名】００１３
【補正方法】変更
【補正の内容】
【００１３】
請求項４記載の発明は、
請求項３記載の鞍乗り型車両の内燃機関において、
前記中央近傍スタッドボルト(71)の前記上側ネジ部(71b)に螺合する前記ナット部材(71N)が当接される前記シリンダヘッド(23)のナット取付座(63n)は、前記シリンダヘッド(23)の上端面(61a)からの深さ(E)が同中央近傍スタッドボルト(71)の植込みネジ部(71a)の植込み深さ(D)より大きくなる位置に形成されることを特徴とする。
【手続補正３】
【補正対象書類名】明細書
【補正対象項目名】００２２
【補正方法】変更
【補正の内容】
【００２２】
請求項４記載の鞍乗り型車両の内燃機関によれば、中央近傍スタッドボルト(71)の上側ネジ部(71b)に螺合するナット部材(71N)が当接されるシリンダヘッド(23)のナット取付座(63n)は、前記シリンダヘッド(23)の上端面(61a)からの深さ(E)が同中央近傍スタッドボルト(71)の植込みネジ部(71a)の植込み深さ(D)より大きくなる位置に形成されるので、中央近傍スタッドボルト(71)の植込みネジ部(71a)をクランクケース(21)から抜いたところで、まだ中央近傍スタッドボルト(71)はシリンダヘッド(23)から殆ど飛び出さないので、内燃機関(20)を車両に搭載した状態で、内燃機関(20)の上方空間が狭くても、中央近傍スタッドボルト(71)をシリンダブロック(22)より抜き取る移動量を容易に確保して、シリンダヘッド(23)およびシリンダブロック(22)の取外しを可能とする。
【手続補正４】
【補正対象書類名】明細書
【補正対象項目名】００５５
【補正方法】変更
【補正の内容】
【００５５】
図５および図７を参照して、シリンダヘッド23における左側軸受壁63の前後の中央近傍スタッドボルト71，71の貫通するボルト孔23ｂ，23ｂの上端開口面であるナット取付座63ｎ，63ｎは、シリンダヘッド23の上端面である合わせ面61ａより下方に大きく凹んだシリンダヘッド23の中央高さ位置にある。
図５を参照して、ナット取付座63ｎ，63ｎは、シリンダヘッド23の上端面である合わせ面61ａからの深さＥが植込みネジ部71ａの植込み深さＤより大きくなる位置に形成される。
【手続補正５】
【補正対象書類名】明細書
【補正対象項目名】００７８
【補正方法】変更
【補正の内容】
【００７８】
中央近傍スタッドボルト71に係るシリンダヘッド23のナット取付座63ｎ，63ｎは、シリンダヘッド23の上端面である合わせ面61ａからの深さＥが植込みネジ部71ａの植込み深さＤより大きくなる位置に形成されるので、中央近傍スタッドボルト71の植込みネジ部71ａをクランクケース21から抜いたところで、まだ中央近傍スタッドボルト71はシリンダヘッド23から殆ど飛び出さないので、内燃機関20を車両に搭載した状態で、内燃機関20の上方空間が狭くても、中央近傍スタッドボルト71をシリンダブロック23より抜き取る移動量を容易に確保して、シリンダヘッド23およびシリンダブロック22の取外しを可能とする。
【手続補正６】
【補正対象書類名】図面
【補正対象項目名】図５
【補正方法】変更
【補正の内容】
【図５】
2015113736.tif 000013